(57)【要約】  映像符号化装置は、低解像度映像を符号化して低解像度層ビットストリームを出力する低解像度層符号化手段と、高解像度映像を符号化して高解像度層ビットストリームを出力する高解像度層符号化手段と、低解像度層ビットストリームと高解像度層ビットストリームとを多重化してスケーラブルビットストリームを出力する多重化手段を有する映像符号化装置であって、高解像度層ビットストリームに含まれる関心領域の同定に必要な補助情報をスケーラブルビットストリームに多重化させる補助情報生成手段を備える。
2016098280.tif 000002
【特許請求の範囲】
【請求項１】
低解像度映像を符号化して低解像度層ビットストリームを出力する低解像度層符号化手段と、
高解像度映像を符号化して高解像度層ビットストリームを出力する高解像度層符号化手段と、
前記低解像度層ビットストリームと前記高解像度層ビットストリームとを多重化してスケーラブルビットストリームを出力する多重化手段を有する映像符号化装置であって、
前記高解像度層ビットストリームに含まれる関心領域の同定に必要な補助情報を生成する補助情報生成手段を備え、
前記多重化手段は、前記補助情報を前記スケーラブルビットストリームに多重化する
ことを特徴とする映像符号化装置。
【請求項２】
スケーラブルビットストリームから低解像度層ビットストリームと高解像度層ビットストリームとを分離する分離手段と、
前記低解像度層ビットストリームを復号して低解像度映像を出力する低解像度層復号手段と、
前記高解像度層ビットストリームを復号して高解像度映像を出力する高解像度層復号手段を有する映像復号装置であって、
前記高解像度層ビットストリームに含まれる関心領域の同定に必要な補助情報を前記スケーラブルビットストリームから解読する補助情報解読手段を備える
ことを特徴とする映像復号装置。
【請求項３】
低解像度映像を符号化して低解像度層ビットストリームを出力し、
高解像度映像を符号化して高解像度層ビットストリームを出力し、
前記低解像度層ビットストリームと前記高解像度層ビットストリームとを多重化してスケーラブルビットストリームを出力する映像符号化方法であって、
前記高解像度層ビットストリームに含まれる関心領域の同定に必要な補助情報を生成し、
前記補助情報を前記スケーラブルビットストリームに多重化する
ことを特徴とする映像符号化方法。
【請求項４】
スケーラブルビットストリームから低解像度層ビットストリームと高解像度層ビットストリームとを分離し、
前記低解像度層ビットストリームを復号して低解像度映像を出力し、
前記高解像度層ビットストリームを復号して高解像度映像を出力する映像復号方法であって、
前記高解像度層ビットストリームに含まれる関心領域の同定に必要な補助情報を前記スケーラブルビットストリームから解読する
ことを特徴とする映像復号方法。
【請求項５】
コンピュータに、
低解像度映像を符号化して低解像度層ビットストリームを出力する処理と、
高解像度映像を符号化して高解像度層ビットストリームを出力する処理と、
前記低解像度層ビットストリームと前記高解像度層ビットストリームとを多重化してスケーラブルビットストリームを出力する処理とを実行させるための映像符号化プログラムであって、
前記高解像度層ビットストリームに含まれる関心領域の同定に必要な補助情報を生成し、
前記補助情報を前記スケーラブルビットストリームに多重化する処理を実行させる
ための映像符号化プログラム。
【請求項６】
コンピュータに、
スケーラブルビットストリームから低解像度層ビットストリームと高解像度層ビットストリームとを分離する処理と、
前記低解像度層ビットストリームを復号して低解像度映像を出力する処理と、
前記高解像度層ビットストリームを復号して高解像度映像を出力する処理とを実行させるための映像復号プログラムであって、
前記高解像度層ビットストリームに含まれる関心領域の同定に必要な補助情報を前記スケーラブルビットストリームから解読する処理を実行させる
ための映像復号プログラム。
【請求項７】
請求項１記載の映像符号化装置と、請求項２記載の映像復号装置とを備える映像配信システム。
【請求項８】
請求項３記載の映像符号化方法と、請求項４記載の映像復号方法とを実施する映像配信方法。
【発明の詳細な説明】
【技術分野】
【０００１】
本発明は、スケーラブル符号化方式を用いる映像符号化装置、映像復号装置および映像配信システムに関する。
【背景技術】
【０００２】
非特許文献１に記載されたScalable High-efficiency Video Coding （SHVC）に基づく映像符号化方式では、入力画像をダウンサンプリングして得られた低解像度映像が低解像度層（BL :Base Layer）として符号化され、入力画像が高解像度層（EL :Enhancement Layer ）として符号化される。【０００３】
BLに対応する解像度の映像の各フレームおよびELに対応する解像度の映像の各フレームのそれぞれは、符号化ツリーユニット（CTU:Coding Tree Unit）に分割される。各CTU はラスタスキャン順で処理されてクアッドツリー構造で符号化ユニット（CU：Coding Unit）に再帰的に分割されて符号化される。【０００４】
図12は、フレームの空間解像度がCIF （CIF:Common Intermediate Format）、CTU サイズが64の場合のフレームt のCTU 分割例、および、フレームt に含まれる第８のCTU （CTU8）のCU再帰的分割例を示す説明図である。図12に示す例では、EL映像の解像度が352 ×288 画素であり、BL映像の解像度は176 ×144 画素であるとする。【０００５】
SHVCにおいて、CUは、イントラ予測、フレーム間予測およびレイヤ間予測の符号化単位になる。以下、イントラ予測、フレーム間予測およびレイヤ間予測を説明する。【０００６】
イントラ予測は、符号化対象フレームの再構築画像から予測画像を生成する予測である。非特許文献１では、図13に示す33種類の角度イントラ予測などが定義されている。角度イントラ予測は、符号化対象ブロック周辺の再構築画素を図13に示す33種類の方向のいずれかに外挿して、イントラ予測信号を生成する。【０００７】
フレーム間予測は、符号化対象フレームと表示時刻が異なる再構築フレーム（参照ピクチャ）の画像に基づく予測である。以下、フレーム間予測をインター予測とも呼ぶ。図14は、フレーム間予測の例を示す説明図である。動きベクトルMV＝(mvx, mvy)は、符号化対象ブロックに対する参照ピクチャの再構築画像ブロックの平行移動量を示す。インター予測は、参照ピクチャの再構築画像ブロックに基づいて(必要であれば画素補間を用いて)、インター予測信号を生成する。【０００８】
レイヤ間予測は、符号化済みのBLフレームのアップサンプル画像に基づく予測であり、インター予測の一種に分類される。図15は、レイヤ間予測を示す説明図である。レイヤ間予測は、符号化済みのBLのフレームをELのフレームと同じ解像度にアップサンプルしたアップサンプル画像をフレーム間予測することでレイヤ間予測信号を生成する。【０００９】
以下、イントラ予測を用いるCUをイントラCU、インター予測またはレイヤ間予測を用いるCUをインターCUと呼ぶ。【００１０】
次に、図16を参照して、スケーラブル符号化方式を用いる一般的な映像符号化装置の構成と動作を説明する。【００１１】
図16に示す映像符号化装置は、BLフレームの各CTU を符号化するBL符号化器101 、ELフレームの各CTU を符号化するEL符号化器102 、および、BLフレームのビットストリームとELフレームのビットストリームとを多重化する多重化器103 を備える。【００１２】
BL符号化器101 は、BLフレームの各CTU をイントラ予測およびフレーム間予測に基づいて符号化し、BLビットストリームを出力する。EL符号化器102 は、BL符号化器101 において符号化済みのBLフレームのアップサンプル画像を参照画像として用いて、ELフレームの各CTU をイントラ予測、フレーム間予測、およびレイヤ間予測に基づいて符号化し、ELビットストリームを出力する。【００１３】
なお、図16に示す装置の前段に設けられているダウンサンプリング器（図示せず）が入力画像をダウンサンプリングしてBL 映像を生成する。【００１４】
多重化器103 は、BLビットストリームとELビットストリームとを多重化して、スケーラブルビットストリームを出力する。
【先行技術文献】
【非特許文献】
【００１５】
【非特許文献１】High efficiency video coding (HEVC) scalable extension Draft 4, JCTVC-O1008_v1, Joint Collaborative Team on Video Coding （JCT-VC） of ITU-T SG16 WP3 and ISO/IEC JTC1/SC29/WG11 15th Meeting: Geneva, CH, 23 Oct. - 1 Nov. 2013
【非特許文献２】ITU-T Rec. H.265
【発明の概要】
【発明が解決しようとする課題】
【００１６】
上述した映像符号化装置を画面中の関心領域の高解像度映像のみを受信側に再生させる用途に適用すると、以下に示す２つの課題を生じさせる。
・関心領域以外の圧縮データの配信も必要となるため、伝送帯域を有効活用できない
・関心領域以外の圧縮データの解読処理が必要となるため、視聴に不要な領域に対する余分な解読処理が発生する【００１７】
本発明は、伝送帯域を有効活用し、また、視聴に不要な領域に対する余分な解読処理を抑制することを目的とする。
【課題を解決するための手段】
【００１８】
本発明による映像符号化装置は、低解像度映像を符号化して低解像度層ビットストリームを出力する低解像度層符号化手段と、高解像度映像を符号化して高解像度層ビットストリームを出力する高解像度層符号化手段と、低解像度層ビットストリームと高解像度層ビットストリームとを多重化してスケーラブルビットストリームを出力する多重化手段を有する映像符号化装置であって、高解像度層ビットストリームに含まれる関心領域の同定に必要な補助情報を生成する補助情報生成手段を備え、多重化手段は、補助情報をスケーラブルビットストリームに多重化することを特徴とする。【００１９】
本発明による映像復号装置は、スケーラブルビットストリームから低解像度層ビットストリームと高解像度層ビットストリームとを分離する分離手段と、低解像度層ビットストリームを復号して低解像度映像を出力する低解像度層復号手段と、高解像度層ビットストリームを復号して高解像度映像を出力する高解像度層復号手段を有する映像復号装置であって、高解像度層ビットストリームに含まれる関心領域の同定に必要な補助情報をスケーラブルビットストリームから解読する補助情報解読手段を備えることを特徴とする。【００２０】
本発明による映像符号化方法は、低解像度映像を符号化して低解像度層ビットストリームを出力し、高解像度映像を符号化して高解像度層ビットストリームを出力し、低解像度層ビットストリームと高解像度層ビットストリームとを多重化してスケーラブルビットストリームを出力する映像符号化方法であって、高解像度層ビットストリームに含まれる関心領域の同定に必要な補助情報を生成し、補助情報をスケーラブルビットストリームに多重化することを特徴とする。【００２１】
本発明による映像復号方法は、スケーラブルビットストリームから低解像度層ビットストリームと高解像度層ビットストリームとを分離し、低解像度層ビットストリームを復号して低解像度映像を出力し、高解像度層ビットストリームを復号して高解像度映像を出力する映像復号方法であって、高解像度層ビットストリームに含まれる関心領域の同定に必要な補助情報をスケーラブルビットストリームから解読することを特徴とする。【００２２】
本発明による映像符号化プログラムは、コンピュータに、低解像度映像を符号化して低解像度層ビットストリームを出力する処理と、高解像度映像を符号化して高解像度層ビットストリームを出力する処理と、低解像度層ビットストリームと高解像度層ビットストリームとを多重化してスケーラブルビットストリームを出力する処理とを実行させ、さらに、高解像度層ビットストリームに含まれる関心領域の同定に必要な補助情報を生成し、補助情報をスケーラブルビットストリームに多重化する処理を実行させることを特徴とする。【００２３】
本発明による映像復号プログラムは、コンピュータに、スケーラブルビットストリームから低解像度層ビットストリームと高解像度層ビットストリームとを分離する処理と、低解像度層ビットストリームを復号して低解像度映像を出力する処理と、高解像度層ビットストリームを復号して高解像度映像を出力する処理とを実行させ、さらに、高解像度層ビットストリームに含まれる関心領域の同定に必要な補助情報をスケーラブルビットストリームから解読する処理を実行させることを特徴とする。【００２４】
本発明による映像配信システムは、上記の映像符号化装置と上記の映像復号装置とを備えることを特徴とする。【００２５】
本発明による映像配信方法は、上記の映像符号化方法と上記の映像復号方法とを実施することを特徴とする。
【発明の効果】
【００２６】
本発明によれば、映像符号化装置側で関心領域以外のビットストリームの配信が不要になるため、伝送帯域が有効活用される。また、映像復号装置側で関心領域以外のビットストリーム解読処理が不要になるため、視聴に不要な領域に対する余分な解読処理が抑制される。
【図面の簡単な説明】
【００２７】
【図１】映像符号化装置の第１の実施形態を示すブロック図である。
【図２】EL映像と関心領域の一例を示す説明図である。
【図３】el_roi_descriptor() の説明図である。
【図４】ELビットストリームの一例を示す説明図である。
【図５】第１の実施形態の映像符号化装置の動作を示すフローチャートである。
【図６】映像復号装置の第２の実施形態を示すブロック図である。
【図７】第２の実施形態の映像復号装置の動作を示すフローチャートである。
【図８】映像配信システムの一例を示すブロック図である。
【図９】本発明による映像符号化装置および映像復号装置の機能を実現可能な情報処理システムの構成例を示すブロック図である。
【図１０】本発明による映像符号化装置の主要部を示すブロック図である。
【図１１】本発明による映像復号装置の主要部を示すブロック図である。
【図１２】フレームt のCTU 分割例、および、フレームt のCTU8のCU再帰的分割例を示す説明図である。
【図１３】33種類の角度イントラ予測の例を示す説明図である。
【図１４】フレーム間予測の例を示す説明図である。
【図１５】レイヤ間予測を示す説明図である。
【図１６】一般的な映像符号化装置の構成を示す説明図である。
【発明を実施するための形態】
【００２８】
実施形態１．
図1 は、本実施形態の映像符号化装置の構成を示すブロック図である。図1 に示す映像符号化装置は、BLフレームの各CTU を符号化するBL符号化器101 、ELフレームの各CTU を符号化するEL符号化器102 、BLフレームのビットストリームとELフレームのビットストリームとを多重化する多重化器103 、および、ELビットストリームに含まれるELフレームの関心領域の同定に必要な補助情報をスケーラブルビットストリームに多重化させる補助情報生成器104 を備える。
【００２９】
BL符号化器101 は、上述した一般的なBL符号化器（図16参照）と同様に、BLフレームの各CTU をイントラ予測およびフレーム間予測に基づいて符号化し、BLビットストリームを出力する。
【００３０】
EL符号化器102 は、BL符号化器101において符号化済みのBLフレームのアップサンプル画像を参照画像として用いて、ELフレームの各CTUをイントラ予測、フレーム間予測、およびレイヤ間予測に基づいて符号化し、ELビットストリームを出力する。ただし、上述した一般的なEL符号化器（図16参照）とは異なり、外部から設定されるELの関心領域(EL関心領域)の座標に基づいて、CTU 毎の予測の種類と出力するELビットストリームを制御する。
【００３１】
図2 に示すEL映像とその関心領域の例を用いて本実施形態におけるスケーラビリティに関する制御を説明する。
【００３２】
EL関心領域に符号化対象のELフレームのCTU が含まれない場合、EL符号化器102 は、同CTU に対応する高解像度画像をレイヤ間予測画像で埋めるだけで、そのELビットストリームを出力しない。つまり、同CTUについて、ELの解像度とCTUサイズの関係から許容される最大サイズでのCU分割に対応する値のcu_split_flagシンタクス、2Nx2Nの予測ユニット形状に対応する値のpart_modegシンタクス、(ゼロ動きベクトルの)レイヤ間予測モードに対応する値のpred_mode_flag、merge_flag、merge_idx、inter_pred_idc、ref_idx_l0、ref_idx_l1、mvp_l0_flag、mvp_l1_flag、mvd_coding()などのシンタクス、および、予測誤差の存在に対応する値のcbf_luma、cbf_cb、cbf_crなどのシンタクスをビットストリームに多重化して送ったものとして動作する（図4(b)から分かるように実際には多重化しない）。なお、前記シンタクスの詳細は非特許文献２に記載されている。
【００３３】
その他の場合、すなわち、EL関心領域に符号化対象のELフレームのCTU が含まれる場合、EL符号化器102 は、上述した一般的なEL符号化器と同様に、EL関心領域に含まれる符号化対象のELフレームのCTU をイントラ予測、フレーム間予測、およびレイヤ間予測に基づいて符号化し、ELビットストリームを出力する。
【００３４】
補助情報生成器104 は、EL関心領域を含むスライスセグメント（EL関心領域スライスセグメント）の個数、各EL関心領域スライスセグメントにおける先頭CTU アドレスおよびCTU 個数をスケーラブルビットストリームに多重化させる。
【００３５】
例えば、図3 に示すようなel_roi_descriptor()  を用いて、EL関心領域スライスセグメントの個数、EL関心領域スライスセグメントのアドレス（EL関心領域スライスセグメントにおける先頭CTU アドレス）、および、EL関心領域スライスセグメントのCTU個数をnum_el_roi_slice_segment_minus1 シンタクス、el_roi_slice_segment_address[i] シンタクス、および、num_el_roi_ slice_segment_ctus_minus1[i]  シンタクスを用いて多重化させることができる。
【００３６】
図2 に示された例では、EL関心領域スライスセグメントの個数は２、最初のEL関心領域スライスセグメントのアドレスは８、CTU個数は２であり、次のEL関心領域スライスセグメントのアドレスは１５、CTU個数は２であり、
num_el_roi_slice_segment_minus1=1 、el_roi_slice_segment_address[0]=8 、
num_el_roi_ slice_segment_ctus_minus1[0]=1、el_roi_slice_segment_address[1]=14、
num_el_roi_ slice_segment_ctus_minus1[1]=1となる。
【００３７】
図4 は、ELビットストリームの一例を示す説明図である。図4(a) には、上述した一般的な映像符号化装置が出力するELビットストリームが例示されている。図4(b) には、本実施形態の映像符号化装置が出力するELビットストリームが例示されている。
【００３８】
el_roi_descriptor() を用いることによりEL関心領域を受信側が同定できるため、本実施形態では、上述した一般的な映像符号化装置と異なり、EL関心領域以外のCTU のビットストリームの出力が不要になる（図4(b) 参照）。
【００３９】
次に、図5 のフローチャートを参照して、本実施形態の映像符号化装置の動作を説明する。
【００４０】
ステップS101では、BL符号化器101 は、BLフレームの各CTU を符号化する。ステップS102では、EL符号化器102 は、EL関心領域に含まれるELフレームの各CTU を符号化する。
【００４１】
ステップS103では、補助情報生成器104 は、ELフレームの関心領域の同定に必要な補助情報としてel_roi_descriptor() を生成する。上述したように、補助情報には、EL関心領域スライスセグメントの個数、EL関心領域スライスセグメントのアドレス、および、EL関心領域スライスセグメントのCTU個数の情報が含まれる。
【００４２】
ステップS104では、多重化器103 は、BLビットストリーム、ELビットストリーム、およびel_roi_descriptor() を多重化して、スケーラブルビットストリームを出力する。
【００４３】
実施形態２．
図6 は、本実施形態の映像復号装置の構成を示すブロック図である。図6 に示す本実施形態の映像復号装置は、スケーラブルビットストリームを分離する分離器201 、BLビットストリームの各CTU を復号するBL復号器202 、el_roi_descriptor() を解読する補助情報解読器203 、および、解読された関心領域（具体的には、関心領域を同定可能な情報）を用いてELビットストリームの各CTU を復号するEL復号器204 を備える。
【００４４】
なお、図6 に示す映像復号装置は、図1 に例示されたようなel_roi_descriptor() を用いる映像符号化装置からのビットストリームを受信する。
【００４５】
分離器201 は、スケーラブルビットストリームを分離してBLビットストリーム、ELビットストリーム、およびel_roi_descriptor() を抽出する。
【００４６】
BL復号器202 は、BLビットストリームに含まれる各CTU を復号してBL映像を再構築する。
【００４７】
補助情報解読器203 は、el_roi_descriptor() を解読して、ELフレームの関心領域を出力する。
【００４８】
EL復号器204 は、補助情報解読器203 から供給されるELフレームの関心領域に基づいて、ELビットストリームに含まれる各CTU を復号してEL映像を再構築する。ELビットストリームが存在しない領域（関心領域以外の領域）のEL映像の画像についてはレイヤ間予測画像で埋める。つまり、関心領域以外の領域に含まれる各CTU について、ELの解像度とCTU サイズの関係から許容される最大サイズでのCU分割に対応する値のcu_split_flag シンタクス、2N×2Nの予測ユニット形状に対応する値のpart_modegシンタクス、（ゼロ動きベクトルの）レイヤ間予測モードに対応する値のpred_mode_flag、merge_flag、merge_idx 、inter_pred_idc、ref_idx_l0、ref_idx_l1、mvp_l0_flag 、mvp_l1_flag 、mvd_coding()などのシンタクス、および、予測誤差の存在に対応する値のcbf_luma、cbf_cb、cbf_crなどのシンタクスをビットストリームから解読したものとして動作する（前述する実施形態１から分かるように実際には解読しない。）。
【００４９】
次に、図7 のフローチャートを参照して、本実施形態の映像復号装置の動作を説明する。
【００５０】
ステップS201では、分離器201 は、スケーラブルビットストリームを分離し、BLビットストリーム、ELビットストリームおよびel_roi_descriptor() を抽出する。
【００５１】
ステップS202では、BL復号器202 は、分離器201 によって抽出されたBLビットストリームの各CTU を復号する。
【００５２】
ステップS203では、補助情報解読器203は、分離器201 によって抽出されたel_roi_descriptor() を解読して、ELフレームの関心領域を出力する。
【００５３】
ステップS204では、EL復号器204は、分離器201 によって抽出されたELビットストリームの各CTU を復号する。また、EL復号器204は、補助情報解読器203が出力する関心領域（具体的には、関心領域を同定可能な情報）によって、ELビットストリームが存在しない領域（関心領域以外の領域）を同定し、同定した領域のEL映像の画像をレイヤ間予測画像で埋める。
【００５４】
実施形態３．
図8 は、上述した第１の実施形態の映像符号化装置（エンコーダ）と上述した第２の実施形態の映像復号装置（デコーダ）を用いた映像配信システムの一例を示すブロック図である。
【００５５】
図8 に示す映像配信システムにおいて、配信側に、第１の実施形態のエンコーダ100 が備えられ、受信側に、第２の実施形態のデコーダ200 が備えられている。エンコーダ100 からのビットストリームは、ネットワーク300 を介してデコーダ200 に伝送される。また、図8 には、配信側のユーザ400 および受信側の表示装置500 も示されている。
【００５６】
一例として、配信側は、コンテンツ配信システムや放送局における設備であり、受信側は、テレビジョン受信機やパーソナルコンピュータや携帯端末である。
【００５７】
本実施形態の映像配信システムにおいては、エンコーダ100 側で関心領域以外のビットストリームの配信が不要になるため、伝送帯域が有効活用される。また、デコーダ側で関心領域以外のビットストリーム解読処理が不要になるため、視聴に不要な領域に対する余分な解読処理が抑制される。
【００５８】
なお、上記の各実施形態を、ハードウェアで構成することも可能であるが、コンピュータプログラムにより実現することも可能である。
【００５９】
図9 に示す情報処理システムは、プロセッサ1001、プログラムメモリ1002、映像データを格納するための記憶媒体1003およびビットストリームを格納するための記憶媒体1004を備えている。記憶媒体1003と記憶媒体1004とは、別個の記憶媒体であってもよいし、同一の記憶媒体からなる記憶領域であってもよい。記憶媒体として、ハードディスク等の磁気記憶媒体を用いることができる。
【００６０】
図9 に示された情報処理システムにおいて、プログラムメモリ1002には、図1および図6 に示された各ブロック（バッファのブロックを除く）の機能を実現するためのプログラムが格納される。そして、プロセッサ1001は、プログラムメモリ1002に格納されているプログラムに従って処理を実行することによって、上記の各実施形態に示された映像符号化装置および映像復号装置の機能を実現する。
【００６１】
図10は、本発明による映像符号化装置の主要部を示すブロック図である。図10に示すように、映像符号化装置は、低解像度層フレーム（BLフレーム）を符号化して低解像度層ビットストリーム（BLビットストリーム）を出力する低解像度層符号化手段（BL符号化手段）11と、高解像度層フレーム（ELフレーム）を符号化して高解像度層ビットストリーム（ELビットストリーム）を出力する高解像度層符号化手段（EL符号化手段）12と、BLビットストリームとELビットストリームとを多重化してスケーラブルビットストリームを出力する多重化手段13と、多重化手段13に、ELビットストリームに含まれるELフレームの関心領域の同定に必要な補助情報を生成する補助情報生成手段14とを備え、多重化手段13は、補助情報をスケーラブルビットストリームに多重化する。
【００６２】
図11は、本発明による映像復号装置の主要部を示すブロック図である。図11に示すように、映像復号装置は、スケーラブルビットストリームを分離する分離手段21と、スケーラブルビットストリームから分離されたBLビットストリームを復号してBL映像（低解像度映像）を出力する低解像度層復号手段（BL復号手段）22と、スケーラブルビットストリームから分離されたELビットストリームに含まれるELフレームの関心領域の同定に必要な補助情報を解読する補助情報解読手段23と、スケーラブルビットストリームから分離されたELビットストリームを復号してEL映像（高解像度映像）を出力する高解像度層復号手段（EL復号手段）24とを備える。
【００６３】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【００６４】
この出願は、２０１４年１２月１６日に出願された日本特許出願２０１４−２５４４７８を基礎とする優先権を主張し、その開示の全てをここに取り込む。
【符号の説明】
【００６５】
11  低解像度層符号化手段（BL符号化手段）
12  高解像度層符号化手段（EL符号化手段）
13  多重化手段
14  補助情報生成手段
21  分離手段
22  低解像度層復号手段（BL復号手段）
23  補助情報解読手段
24  高解像度層復号手段（EL復号手段）
100  エンコーダ（映像符号化装置）
101  BL符号化器
102  EL符号化器
103  多重化器
104  補助情報生成器
200  デコーダ（映像復号装置）
201  分離器
202  BL復号器
203  補助情報解読器
204  EL復号器
300  ネットワーク
400  ユーザ
500  表示装置
1001  プロセッサ
1002  プログラムメモリ
1003，1004  記憶媒体
【図１】
2016098280.tif 000003
【図２】
2016098280.tif 000004
【図３】
2016098280.tif 000005
【図４】
2016098280.tif 000006
【図５】
2016098280.tif 000007
【図６】
2016098280.tif 000008
【図７】
2016098280.tif 000009
【図８】
2016098280.tif 000010
【図９】
2016098280.tif 000011
【図１０】
2016098280.tif 000012
【図１１】
2016098280.tif 000013
【図１２】
2016098280.tif 000014
【図１３】
2016098280.tif 000015
【図１４】
2016098280.tif 000016
【図１５】
2016098280.tif 000017
【図１６】
2016098280.tif 000018
【国際調査報告】
2016098280.tif 000019
2016098280.tif 000020
2016098280.tif 000021
2016098280.tif 000022